(57)【要約】本発明は、ディスプレイ装置を照明するための照明システムに関し、ディスプレイ装置の方向に光を放射するための光放射窓（２）と、光を反射するための反射器（５）と、光放射窓と反射器との間に配置される複数の細長い光源（６，９）とを含み、反射器の少なくとも一部は、光放射窓と実質的に平行に且つ反対に配置され、各光源の表面は、複数の細長い光放射孔（１２）を定める塗膜（１１）を部分的に備え、光放射孔はそれぞれ角度ｘに亘り、その角度の二等分線（１３）は前記反射器に向けられる。本発明は、前記照明システムを含むディスプレイ装置にも関する。
2008508676.tif 000002
【特許請求の範囲】
【請求項１】
ディスプレイ装置を照明するための照明システムであって、
前記ディスプレイ装置の方向に光を放射するための光放射窓と、
光を反射するための反射器と、
前記光放射窓と前記反射器との間に配置される複数の細長い光源とを含み、
前記反射器の少なくとも一部は、前記光放射窓と実質的に平行に且つ反対に配置され、
各光源の細長い表面は、少なくとも１つの塗膜を部分的に備えることによって、複数の細長い光放射孔を定め、各光放射孔は、特定の角度を取り囲み、該角度の二等分線は、前記反射器に向けられる、
照明システム。
【請求項２】
前記塗膜は、２つの光放射孔を定めることを特徴とする、請求項１に記載の照明システム。
【請求項３】
前記塗膜は、２５％と１００％との間の反射率を有することを特徴とする、請求項１又は２に記載の照明システム。
【請求項４】
前記塗膜は複数の層を含み、該層は相互に異なる反射率値を有することを特徴とする、上記請求項のうちいずれか１項に記載の照明システム。
【請求項５】
前記複数の塗膜は、各光源の前記細長い表面の異なる部分の上に塗布され、前記塗膜は、相互に異なる反射率値を有することを特徴とする、上記請求項のうちいずれか１項に記載の照明システム。
【請求項６】
前記塗膜は、各光源の外部の細長い表面の上に塗布されることを特徴とする、上記請求項のうちいずれか１項に記載の照明システム。
【請求項７】
前記塗膜は、各光源の内部の細長い表面の上に塗布されることを特徴とする、上記請求項のうちいずれか１項に記載の照明システム。
【請求項８】
前記塗膜は、燐光層を含むことを特徴とする、上記請求項のうちいずれか１項に記載の照明システム。
【請求項９】
前記塗膜は、鏡面反射層及び／又は拡散反射層を含むことを特徴とする、上記請求項のうちいずれか１項に記載の照明システム。
【請求項１０】
前記反射器に実質的に向けられた各光源の細長い表面は、角度α１を覆う実質的に反射的な塗膜によって被覆され、前記角度α１は、
【数１】
2008508676.tif 000011
に応じ、ここで、ｐは、２つの隣接する光源のピッチであり、ｄＬＲは、前記光源の中心と前記反射器との間の距離であり、前記反射性塗膜の反射率は、少なくとも９５％であることを特徴とする、上記請求項のうちいずれか１項に記載の照明システム。
【請求項１１】
前記光放射窓に実質的に向けられた各光源の細長い表面は、角度α２に亘って実質的に反射的な塗膜によって被覆され、前記角度α２は、
【数２】
2008508676.tif 000012
の範囲内にあり、ここで、ｐは、２つの隣接する光源のピッチであり、ｄＬＤは、前記光源の中心と前記光放射窓との間の距離であることを特徴とする、上記請求項のうちいずれか１項に記載の照明システム。
【請求項１２】
前記光放射窓の法線と、孔と一致する二等分線とによって囲まれる前記角度ωは、
【数３】
2008508676.tif 000013
によって定められ、ここで、ｐは、２つの隣接する光源のピッチであり、ｄＬＲは、前記光源の中心と前記反射器との間の距離であることを特徴とする、上記請求項のうちいずれか１項に記載の照明システム。
【請求項１３】
２つの隣接する細長い光源の間に、光バリア手段が設けられ、該光バリア手段は、前記反射器に接続されることを特徴とする、上記請求項のうちいずれか１項に記載の照明システム。
【請求項１４】
前記光バリア手段の高さｈは、
【数４】
2008508676.tif 000014
によって定められ、ここで、Ｄは、前記隣接する光源の直径であり、ｄＬＲは、前記隣接する光源と前記反射器との間の距離であることを特徴とする、請求項１３に記載の照明システム。
【請求項１５】
前記光バリア手段は、反射性外表面を備えることを特徴とする、請求項１３又は１４に記載の照明システム。
【請求項１６】
請求項１乃至１５のうちいずれか１項に記載の照明システムを含むディスプレイ装置。
【発明の詳細な説明】
【技術分野】
【０００１】
本発明は、照明ディスプレイ装置用の照明システムに関する。本発明は、さらに、該照明システムを含むディスプレイ装置に関する。
【背景技術】
【０００２】
そのような照明システムは、「直接被照明(direct-lit)」又は「直接下(direct-under)」型のバックライト照明システムと呼ばれる。照明システムは、とりわけ、（画像）ディスプレイ装置のバックライト、例えば、テレビ受信器及びモニタのために使用される。ＬＣＤパネルとも呼ばれる液晶ディスプレイ装置のような、そのような照明システムは、（ポータブル）コンピュータ又は（コードレス）電話において使用される。照明システムは、テレビ及びプロ用途のための大型スクリーンＬＣＤ装置における用途に特に適している。
【０００３】
前記ディスプレイ装置は、一般的に、少なくとも１つの電極によってそれぞれ駆動される規則的な画素パターンを備えた基板を含む。ディスプレイ装置は、（画像）ディスプレイ装置の（ディスプレイ）スクリーンの関連地域内に画像又はグラフィック表示を再生するために制御回路を使用する。具体的には、ＬＣＤ装置内のバックライトに起源する光は、スイッチ又は変調器を用いて変調され、多様な種類の液晶効果が適用される。加えて、ディスプレイは、電気泳動的又は電気機械的効果に基づき得る。
【０００４】
冒頭段落において述べられた照明システムにおいて、管状低圧水銀蒸気放電ランプ、例えば、冷陰極蛍光ランプ、熱陰極蛍光ランプ、又は、外部電極蛍光ランプ（ＥＥＦＬ）の１つ又はそれよりも多くを光源として習慣的に用い得るし、或いは、発光ダイオード（ＬＥＤＳ）を照明システムにおける光源として用い得る。
【０００５】
その最も単純な形態において、ディスプレイ装置用のバックライトは、矩形ボックス内に多数の蛍光管を含む。壁はその内側が極めて反射的な（白色）塗膜で被覆される（好ましくは、反射は９７％よりも高い）。光放射窓は拡散器であるか、或いは、拡散器で覆われ、光は拡散器を通じてボックスから逃げ得る。光出力の均一性は、普通、比較的高いランプ密度（ｃｍ当たりのランプ数）の場合には十分である。しかしながら、もしランプ密度が減少するならば、バックライトの均一性も減少する。そのような場合には、ランプ管は発光窓を通じて明らかに「可視的」である。
【０００６】
米国特許出願公開第２００３／０１０７８９２号は、「直接下」型バックライトモジュールにおける使用のためのランプ反射装置を開示している。バックライトモジュールは、複数のランプと、ランプの上に配置された拡散板と、ランプの下に配置された反射板とを含む。ランプと拡散板との間に設けられたランプ反射装置は、ランプから放射された光を底部反射板に向けて反射するための反射層を含む。ランプの直上の拡散板に直接的に放射される光に起因する光の不均一性は低減される。既知の照明システムの不利点は、均一性を最適化するための制限された自由度である。その結果、ディスプレイ装置の照明均一性は不十分である。加えて、光のかなりの量がランプのちょうど下に投射され、それはバックライトの光効率にとって不利である。
【発明の開示】
【発明が解決しようとする課題】
【０００７】
ディスプレイ装置の比較的均一な照明を比較的効率的に実現し得る改良された照明システムを提供することが本発明の目的である。
【課題を解決するための手段】
【０００８】
この目的は、ディスプレイ装置を照明するための照明システムであって、ディスプレイ装置の方向に光を放射するための光放射窓と、光を反射するための反射器と、光放射窓と反射器との間に配置される複数の細長い光源とを含み、反射器の少なくとも一部は、光放射窓と実質的に平行に且つ反対に配置され、各光源の細長い表面は、少なくとも１つの塗膜を部分的に備えることによって、複数の細長い光放射孔を定め、各光放射孔は特定の角度を取り囲み、角度の二等分線は反射器に向けられる照明システムを提供することによって達成され得る。対応する孔角度の二等分線が反射器に向けられ且つ光放射窓の反対側に向けられる、光放射窓及び反射器に対する光源の光放射窓の特定の向きを用いることで、比較的均一な光分布を生成し、前記光放射窓を通じて伝え得る結果、ディスプレイ装置の比較的均一な照明が得られることが分かった。各光源において生成される光の大部分は、反射器に向かって直接的に放射され−光放射窓に向かって直接的には放射されず−本発明の照明システムの大きなさらなる利点、即ち、光放射窓、反射器、及び、複数の光源の間の相互距離が最小に維持され、或いは、少なくとも、比較的小さく維持され得る結果、ディスプレイのための有利に比較的薄く且つコンパクトな照明システムが得られる。本発明に従った照明システムは、比較的小さな厚さを備える、即ち、ｄ／Ｄ＜２の範囲内の光源の直径Ｄに対するバックライトの高さｄの比を備えるバックライト照明システムに特に適する。このために、液晶ディスプレイ（ＬＣＤ）のようなディスプレイ装置は、比較的効率的且つ有利な方法で比較的均一に照明され得る。好ましくは、前記孔は、システムの照明均一性を最適化するよう、光放射窓及び反射器の双方の標準的な平面に対して実質的に対称的に向けられる。塗膜はその半透明性を減少するよう光源に塗布され、そのために、塗膜は、半透過型としてより既知であるように、部分的に反射的であり得るが、塗膜は完全に或いは少なくとも極めて反射的でもあり得る。細長い孔は、前記塗膜によって覆われていない光源の表面の部分によって形成され、塗膜は光源に断続的且つ不連続的に塗布され得る。前記塗膜の他に、例えば、既知の燐光塗膜のような、孔を定める点で役割を果たさない他の塗膜が、光源の内部及び／又は外部の細長い表面を部分的に或いは全体的に覆う。用語を本質的なものに変えるために、「塗膜」という語は、逆に通告がない限り、この出願においては、前述の孔を定める塗膜として解釈されるべきである。
【０００９】
好適な実施態様において、塗膜は２つの光放射孔を定める。この実施態様では、光放射窓に面する光源の細長い表面部分に半透過型塗膜を塗布することが有利であることが分かった。前記半透過型塗膜は、入射光の僅かを反射し、前記入射光の相補的な断片を透過するよう構成される。この状況は、各光源の周りに実質的に有利な３つのローブ付き光分布をもたらし、その結果、ディスプレイ装置に放射され得る光の比較的均一な全体的分布が得られる。
【００１０】
通常、予期される比較的均一な照明を達成するために、塗膜は入射光の少なくとも一部を反射する。好ましくは、前記塗膜は、一方では、孔を介して放射される光と、他方では、ディスプレイ装置に向かう所望の均一な光放射を達成する、（半透過型）塗膜を介して放射される光との間の十分な区別を生成するために、２５％〜１００％の間、より好ましくは、３０％〜１００％の間の反射率を有する。
【００１１】
好適な実施態様において、前記塗膜は、複数の層を含み、該層は相互に異なる反射率値を有する。これらの層は、実際の塗膜を形成するよう、例えば、スパッタリング、吹付け、又は、蒸着によって、光源の細長い表面上に後続的に塗布され得る。これらの層の１つは、例えば、凹面反射器として作用し且つ光源の内部の細長い表面上に堆積される反射層によって形成され得るのに対し、燐光層が後続して前記反射性塗膜上に塗布され、それによって、前記塗膜を形成する。塗膜によって覆われていない光源の細長い表面の部分は、光が比較的妨害されずに放射され得る細長い孔を形成する。
【００１２】
他の好適な実施態様では、複数の塗膜が光源の細長い表面の異なる部分の上に塗布され、前記塗膜は相互に異なる反射率値を有する。具体的な実施態様において、反射器に実質的に面する細長い表面の一部は、９５％を超える反射率を備える実質的に反射的な塗膜によって覆われるのに対し、光放射窓に面する細長い表面の反対部分は、半透過型塗膜によって覆われ、後者は好ましくは３０％〜７０％の間の反射率を備える。
【００１３】
前記塗膜は、好ましくは、各光源の外部の細長い表面上に塗布される。しかしながら、前記塗膜が各光源の内部の細長い表面上に塗布されることも考えられ、その場合には、例えば、従来的な燐光層を塗膜として使用し得る。当業者が、前記光源の内部及び外部の双方の細長い表面上に１つ又はそれよりも多くの塗膜を設けることも実行可能である。
【００１４】
好適な実施態様において、反射器に向かって実質的に向けられた各光源の細長い表面は、角度α１をカバーする実質的に反射的な塗膜によって被覆され、その場合には、α１は、
【００１５】
【数５】
2008508676.tif 000003
と対応し、ここで、ｐは、２つの隣接する光源のピッチであり、ｄＬＲは、光源の中心と反射器との間の距離であり、前記反射性塗膜の反射率は少なくとも９５％である。ピッチｐは、２つの隣接する光源の中心の相互距離であると考えられ得る。光源から前記反射性塗膜上に直接的に放射される光は、光放射窓に向かって複数の方向に反射される。光放射窓での均一な照明は、光源の反射率の適切な調整によって達成され得る。
【００１６】
一方では、光放射窓に対する、他方では、反射器に対する、照明システム内の光源の位置は、光放射窓における均一な光分布を得るのに重要な役割を果たす。このために、本発明に従った照明システムの好適実施態様は、光放射窓に実質的に直接的に向けられた各光源の細長い表面が、角度α２に亘って実質的に半透過型塗膜によて被覆され、角度α２は、
【００１７】
【数６】
2008508676.tif 000004
の範囲内にあり、ここで、ｐは、２つの隣接する光源のピッチであり、ｄＬＤは、光源の中心と光放射窓との間の距離である。α２を囲む反射透過型塗膜の反射率は、好ましくは、３０％〜７０％の間にある。
【００１８】
好ましくは、光放射までの法線と孔に属する二等分線とによって囲まれる角度ωは、
【００１９】
【数７】
2008508676.tif 000005
によって定められ、ここで、ｐは、２つの隣接する光源のピッチであり、ｄＬＲは、光源の中心と反射器との間の距離である。角度ωの定義は、角度α１及びα２の定義とは異なることが留意されるべきである。何故ならば、角度α１及びα２と異なり、角度ωは、塗膜による光源の細長い表面の被覆の程度を示さず、むしろ光放射窓及び反射器の双方に対する孔の相対的な向きを示すからである。最良の構造が何であるかを捜し出すために、コンピュータプログラム（例えば、光線追跡シミュレーション）を使用し得る。そのようなコンピュータプログラムは、例えば、照明システムの高さｈ、即ち、現実のｄＬＤ＋ｄＬＲが、従来的な照明システムの高さよりも大きくてはならないのような、特定のパラメータのための特定の境界を付与され得る。
【００２０】
上記された実施態様を用いてディスプレイ装置の比較的均一な照明を比較的効率的に達成し得るという事実にも拘わらず、画像をディスプレイ装置上に表示するときに、さらなる不利点が依然として生じ得る。比較的高速に移動する画像材料がアクティブマトリックスＬＣＤのようなディスプレイ装置上に表示されるとき、画像は、所謂サンプル＆ホールド(sample  &  hold)効果及びＬＣ画素の遅い応答の故に、ぼけるようになる。走査バックライトは、行アドレッシング速度と同一の速度でスクリーンの頂部から底部へスクロールする光のストロークを生み出し、動作ぼけ(motion  blur)を著しく減少するが、完全ではない。これを是正するために、好ましくは、光バリア手段が、２つの隣接する細長い光源の間に設けられ、光バリア手段は前記反射器に取り付けられる。光バリア手段は、各光源によって放射される光を部分的に或いは実質的に分離するよう構成される。この或いはこれらのバリア手段は、性能、この場合には、動作ぼけ減少を最適化し得ると同時に、バックライトスクリーン全体に亘って高い水準の輝度均一性を維持する。光バリアは、一般的には、反射性構造から構成される。個々の光源によって生成される光の局所化は、光バリアの高さ、形状、及び、材料によって強く影響され得る。単一の光源によって生成される光のストロークは、光バリアがない場合には極めて広く、その結果、効果的な動作ぼけ減少がもたらされない。このバックライト構造の全体的地域の均一性は、ランプの放射パターンの微調整によって最適化され得る。光バリア手段が光源間に挿入されるとき、光のストロークはより狭くなり、その結果、動作ぼけのより強く改良された減少が得られる。好ましくは、光バリア手段の高さｈは、
【００２１】
【数８】
2008508676.tif 000006
によって定められ、ここで、Ｄは、隣接する光源の直径であり、ｄＬＲは、隣接する光源の中心と反射器との間の距離である。高さｈのあらゆる選択値のために、ランプの放射パターンは、全体的バックライト地域に亘る完全な均一性を保証するよう再び微調整され得る。上述されたように、光バリア手段は、好ましくは、上述のように、ディスプレイ装置の比較的均一な照明及び移動画像の表示中のぼけ効果の減少の双方を達成するために、２つの部分的に塗工された光源の間に適用される。しかしながら、たとえ余り有利ではないとしても、上記に解明されたような特別に方向付けられた塗膜及び孔を備えない２つの従来的な光源の間に光バリア手段を適用することも想像され得る。
【００２２】
本発明は、さらに、上記に詳細に記載された照明システムを含むディスプレイ装置に関する。その上、本発明に従った外部照明システムによる活性照明を必要とする液晶ディスプレイ（ＬＣＤ）、全ての種類のディスプレイを使用し得る。
【００２３】
以下の被制限的な実施態様及び図面を参照して、本発明をさらに記載する。
【発明を実施するための最良の形態】
【００２４】
図１は、本発明に従った照明システム１の断面を示している。照明システム１は、ＬＣＤのような、光を必要とするディスプレイ装置を照明するよう構成されている。前記照明システム１は、ライトボックスとして一般的に知られている。システム１は、光放射窓２を含み、該窓２は、複数の光学フォイル４を備えた拡散板３から構成されている。システム１は、９５％を超える反射率を備えた極めて反射的な反射板５も含む。システム１は、さらに、実質的に白色光を放射するよう構成された複数の蛍光ランプ６を含む。該ランプ６によって放射される光は、前記窓２を通じて、直接的に或いは間接的に（前記反射板５を介して）照明されるべきディスプレイ（図示せず）に向かって伝えられる。システム１に比較的小さな厚さｄを適用することを目標としながら、ディスプレイ装置を比較的均一に照明し得るために、ランプ６内で生成される光は、ランプ６を取り囲む雰囲気に特別且つ特定の方法で放射されなければならない。このために、図２乃至４の１つに示されるような種類のランプを用い得る。これらのランプ６の具体的な放射パターンに関するより詳細は、以下に示される。最適な光分布のために、照明システム１の構成素子の（相互）寸法入れが重要な役割を演じる。この非限定的な実施態様において、各ランプ６の中心と光放射窓２との間の距離ｄＬＤは１５ｍｍであるのに対し、各ランプ６と反射器５との間の距離ｄＬＲは１１ｍｍであり、その結果、２６ｍｍのシステム１内厚ｄが得られる。ランプ６は、２つの隣接するランプ６間の５１ｍｍのピッチｐを備えて均等に位置付けられている。このために、システム１は複数のユニットセル７に分割され、各セルも５１ｍｍの幅ｗを有し得る。ディスプレイ装置の均一な照明を達成するために、各ランプ６の直径も、ランプ６の最適な放射パターンを決定するために重要な役割を演じる。図示の実施例において、ランプ６の直径６は１６ｍｍになる。図１に図式的に示されるように、ランプ６は２つの光放射孔８を備え、該孔８は光放射窓２上で法線Ｎに対して対称的に方向付けられている。孔８の二等分線は、所望の均一な光分布を達成するよう反射器５に向けられている。この照明原理に関するより詳細は、図２乃至４において与えられている。
【００２５】
図２は、本発明に従った照明システム１における使用のための光源９の第一実施態様を示している。光源９は、細長いガラス管１０を含む。前記管１０の細長い内面は、燐光塗膜１１を部分的に備え、それによって、（未塗工の）２つの孔１２を定めている。各孔１２は角度αに亘って延在し、角度αの二等分線１３は反射器５（図１に示されている）に向けられている。この実施態様において、角度αは約３０度に定められている。孔１２の程度の他に、法線Ｎに対する前記孔１２の位置付けも、最適な均一な光分布を実現するための重要な役割を演じ、前記位置付けは、角度ωによって指し示され、該角度ωは、法線Ｎと孔１２の二等分線１３によって囲まれている。図示の実施態様において、角度ωは約１１３度である。以下の方程式を使用することによって、照明システムのために前記角度を最適化し得る。
【００２６】
【数９】
2008508676.tif 000007
【００２７】
蛍光塗膜１１は約５０％の反射率を有するのに対し、孔１２は（無視し得る）反射率を有する。このために、図示の光源９の光分布パターンは、有利な三脚状の放射パターンを有し、その結果、ディスプレイ装置に向かう光の均一な全体的な放射をもたらす。
【００２８】
図３は、本発明に従った照明システム１における使用のための光源１４の第二実施態様の断面を示している。光源１４は、図２に示されるような光源９と多かれ少なかれ類似する構成である。光源１４は、細長いガラス蛍光管１５を含み、その管１５の細長い内面は塗膜１６を部分的に備え、それによって、２つの細長い孔１７を定めている。塗膜１６は、管１５に直接的に塗布された拡散反射層１８と、前記反射層１８上に塗布された半透過型(transflective)燐光層１９とから構成されている。拡散反射層１８の反射率は、完全な均一性を達成するよう調整され得る。光源１４の効率をさらに改良するために、孔地域の内部ガラス表面は、スペクトルの可視的部分において透明又は低反射性のＵＶ反射層（図示せず）で塗工され得る。角度α及びω、各ランプの二等分線２０、及び、光放射窓２上の法線Ｎ（図１に示されている）を用いた孔１７の方向付けのために、図２の記載において上記に解明されたのと同一の理由付け及び方程式が当て嵌まる。
【００２９】
図４は、本発明に従った照明システム１における使用のための光源２１の第三実施態様の断面を示している。光源２１は、蛍光管２２を含む。該蛍光管２２の細長い内面は、約５０％の反射率を備える燐光膜２３で完全に被覆されている。前記蛍光管２２の細長い外面は、２つの異なる種類の塗膜２４，２５によって部分的に被覆され、それによって、２つの反対の光放射孔２６を定めている。通常（図１に示されるように）反射器５に面する下方の極めて反射的な塗膜２４は、約７５度の角度α１に亘って延在している。好ましくは、該角度α１は、以下によって定められる範囲内にある。
【００３０】
【数１０】
2008508676.tif 000008
【００３１】
図１に示される境界を考慮すると、角度α１は、好ましくは、約９８度よりも低い。下部塗膜２４は、９５％を超える反射率を有する。これを達成するために、ＴｉＯ２及びＡｌ２Ｏ３のような高反射率の拡散反射性材料を使用し得る。特に適した拡散反射性材料は、ハロ燐酸カルシウム及び／又はピロ燐酸カルシウムである。そのような反射性材料は、塗料の形態で提供され、塗料中には、結合剤、例えば、フッ素共重合体、例えば、ＴＨＶ、並びに、溶剤（例えば、ＭＩＢＫ）が使用される。塗料混合物中に他の添加物、例えば、改良された流動又は混合特性を有するものを加え得る。上部塗膜２５は、３０％〜７０％の間の好適な反射率を備える半透過型塗膜である。上部塗膜２５は、通常、光放射窓２（図１中に示されている）に向かって方向付けられ、角度α２に亘って延在し、ここで、α２は、このましくは、以下の範囲内にある。
【００３２】
【数１１】
2008508676.tif 000009
【００３３】
図示の実施態様において、角度α２は約１２０度である。図１中に示される値をこの方程式に適用すると、角度α２は、好ましくは、約１１８度と約１４７度の間である。前記孔２６の二等分線２７は、（図１に示されるような）反射板５に向かった下向きに方向付けられている。前記光源２１内で生成され且つ前記光源２１の直接周囲に放射される光の光分布パターン２８は、破線によって示されるように実質的に３つのローブ付きである。この３つのローブ付き照明パターンを適用することによって、ディスプレイ装置に向かう均一な全体的な光分布を得ることができる。
【００３４】
図５は、本発明に従った代替的な照明システム２９の断面を示している。照明システム２９は、図１に示されるシステム１と多かれ少なかれ類似している。代替的な照明システム２９は、拡散板３１と、該板３１上に塗布された複数の光学フォイル３２とから構成される透明パネル３０を含む。システム２９は、極めて反射的なバックプレーン３３も含み、該バックプレーン３３は、前記透明パネル３０と反対に且つ実質的に平行に配置されている。前記バックプレーン３３と前記パネル３０との間には、１６ｍｍの直径Ｄを備える複数の蛍光ランプ３４、好ましくは、ＴＬ−５型の蛍光ランプが位置付けられている。ランプ３４は、図２乃至４に示されるランプ９，１４，２１の１つによって形成され得るし、或いは、他の、好ましくは、均等なランプによって形成され得る。この非限定的な実施態様において、各ランプ３４の中心と透明パネル３０との間の距離ｄＬＤは１５ｍｍであるのに対し、各ランプ３４の中心と反射性バックプレーン３３との間の距離ｄＬＲは１１ｍｍであり、その結果、２６ｍｍのシステム２９の内厚ｄが得られる。あらゆる対の隣接するランプ３４間には光バリア３５が位置付けられ、該バリア３５は前記バックプレーン３３に取り付けられている。この実施態様において、光バリア３５は反射塗膜を備えている。走査バックライトの場合には、あらゆる個々のランプ３４によって生成される光のストロークは、光バリア３５によって制限され、比較的狭く、その結果、バックライトスクリーン全体に亘る比較的高い水準の輝度均一性を維持しながら、ディスプレイ装置上に可視化される移動画像の動作ぼけの低減の向上をもたらす。個々のランプ３４によって生成される光の局所化は、光バリア３５の高さ、形状、及び、材料によって強く影響され得る。このために、パターン化されたバックプレーン３３を適用し、それによって、前記光バリア３５を組み込むことも考えられ、前記パターン化されたバックプレーン３３は、例えば、あらゆる２つの隣接するランプ３４間に延在する波状突起又は類似物を有する。前記光バリア３５の高さｈは、システム２９内の光分布に影響を及ぼし、従って、ディスプレイ装置に向かう光放射にも影響を及ぼす。好ましくは、高さｈは、以下の範囲内にある。
【００３５】
【数１２】
2008508676.tif 000010
【００３６】
上記に与えられる値をこの方程式に適用すると、この実施態様における１９ｍｍの最大高さｈを生む。しかしながら、あらゆる選択される高さｈのために、ランプ３４の放射パターンは、ディスプレイ装置上に可視化される移動画像のぼけを阻止しながら、バックライト地域全体に亘る完全な均一性を保証するために、再び微調整され得る。光バリア３５は５１ｍｍの距離ｗで均等に離間され、該距離ｗは２つの隣接するランプ３４のピッチｐと等しいことが留意される。
【００３７】
上述の実施態様は本発明を限定するよりむしろ例証するものであること、並びに、当業者であれば、添付の請求項から逸脱することなしに多くの代替的な実施態様を設計し得ることが留意されるべきである。請求項中、括弧内に配置される如何なる参照符号も請求項を制限するものと解釈されるべきではない。「含む」という動詞及びその活用形の使用は、請求項中に述べられている素子又はステップ以外の素子又はステップの存在を排除しない。素子に先行する不定冠詞は、そのような素子が複数存在することを排除しない。本発明は、幾つかの異なる素子を含むハードウェアを用いて、並びに、適切にプログラムされたコンピュータを用いて実施され得る。幾つかの手段を列挙する装置の請求項において、これらの手段の幾つかは、１つ且つ同一のハードウェアによって具現化され得る。特定の手段が相互に異なる独立請求項中に列挙されているという単なる事実は、これらの手段の組み合わせを有利に使用し得ないことを指し示さない。
【図面の簡単な説明】
【００３８】
【図１】本発明に従った照明システムを示す断面図である。
【図２】本発明に従った照明システムにおける使用のための光源の第一実施態様を示す断面図である。
【図３】本発明に従った照明システムにおける使用のための光源の第二実施態様を示す断面図である。
【図４】本発明に従った照明システムにおける使用のための光源の第三実施態様を示す断面図である。
【図５】本発明に従った代替的な照明システムを示す断面図である。
【図１】
2008508676.tif 000015
【図２】
2008508676.tif 000016
【図３】
2008508676.tif 000017
【図４】
2008508676.tif 000018
【図５】
2008508676.tif 000019
【国際調査報告】
2008508676.tif 000020
2008508676.tif 000021
2008508676.tif 000022